(57)【要約】【課題】衣服がビスに一旦引っ掛かったり、スカートガードと踏段との間に吸い込まれたりしても外れるマンコンベアを得る。【解決手段】マンコンベアは、無端状に連結されて循環移動する複数の踏段と、上記踏段の両側の側面に近接し互いに対向するとともに送風穴が開けられたスカートガードと、上記送風穴に空気を送る送風ホースと、を備えるマンコンベアにおいて、上記送風穴は山形の線上に開けられるとともに上り線分上に開けられる上記送風穴の中心軸は上記スカートガードの厚み方向からマイナス方向且つ上記踏段の移動方向に傾き、下り線分上に開けられる上記送風穴の中心軸は上記スカートガードの厚み方向からプラス方向且つ上記踏段の移動と反対方向に傾いている。【選択図】図２
2011011858.tif 000002
【特許請求の範囲】
【請求項１】
無端状に連結されて循環移動する複数の踏段と、上記踏段の両側の側面に近接し互いに対向するとともに送風穴が開けられたスカートガードと、上記送風穴に空気を送る送風ホースと、を備えるマンコンベアにおいて、
上記送風穴は山形の線上に開けられるとともに上り線分上に開けられる上記送風穴の中心軸は上記スカートガードの厚み方向からマイナス方向且つ上記踏段の移動方向に傾き、下り線分上に開けられる上記送風穴の中心軸は上記スカートガードの厚み方向からプラス方向且つ上記踏段の移動と反対方向に傾いていることを特徴とするマンコンベア。
【請求項２】
上記スカートガードの上方に設置されるとともに上記送風穴が開けられた内側板を備えることを特徴とする請求項１に記載のマンコンベア。
【発明の詳細な説明】
【技術分野】
【０００１】
この発明は、マンコンベアに関し、特に乗客の衣服の裾等が踏段とスカートガードとの間に挟まれることを抑止することができるマンコンベアに関する。
【背景技術】
【０００２】
従来のマンコンベアは、移動経路を形成する一対の対向するスカートガードと、一対のスカートガード内の移動経路に設けられ、無端状に連結されて循環移動する複数の踏段と、各スカートガードの上方に設置されたデッキとを備えている。各デッキの踏段側の側面には複数の孔が設けられており、各デッキの内部には各孔に連通する一対の流路がそれぞれ設けられている。さらに、各流路に気体を送って各デッキの孔から気体を噴出させる送風手段が設置されている（例えば、特許文献１参照）。
【先行技術文献】
【特許文献】
【０００３】
【特許文献１】特開２００６−１７６２８２号公報
【発明の概要】
【発明が解決しようとする課題】
【０００４】
しかし、各デッキの孔から一定方向に気体を噴出させても飾り金などのビスに衣服が引っ掛かると簡単には外れないという問題があり、また、裾の長いスカートやパンツの裾がスカートガードと踏段との間に吸い込まれるとそのまま引きずられるという問題がある。
【０００５】
この発明は、前記のような課題を解決するためになされたものであり、衣服がビスに一旦引っ掛かったり、スカートガードと踏段との間に吸い込まれたりしても外れるマンコンベアを得ることを目的とする。
【課題を解決するための手段】
【０００６】
この発明に係るマンコンベアは、無端状に連結されて循環移動する複数の踏段と、上記踏段の両側の側面に近接し互いに対向するとともに送風穴が開けられたスカートガードと、上記送風穴に空気を送る送風ホースと、を備えるマンコンベアにおいて、上記送風穴は山形の線上に開けられるとともに上り線分上に開けられる上記送風穴の中心軸は上記スカートガードの厚み方向からマイナス方向且つ上記踏段の移動方向に傾き、下り線分上に開けられる上記送風穴の中心軸は上記スカートガードの厚み方向からプラス方向且つ上記踏段の移動と反対方向に傾いている。
【発明の効果】
【０００７】
この発明に係るマンコンベアは、山形の線上に送風穴が開けられるとともに上り線分上に開けられる送風穴の中心軸はスカートガードの厚み方向からマイナス方向且つ踏段の移動方向に傾き、下り線分上に開けられる送風穴の中心軸はスカートガードの厚み方向からプラス方向且つ踏段の移動と反対方向に傾いているので、送風穴から吹き出される風により内側板やスカートガードの付近の気流の流れが一方向ではなく、衣服がビスに一旦引っ掛かったり、スカートガードと踏段との間に吸い込まれたりしても、簡単に外れる。
【図面の簡単な説明】
【０００８】
【図１】この発明に係るマンコンベアの横断面図である。
【図２】この発明に係るスカートガードと内側板の正面図である。
【図３】スカートガードの上り線分上に開けられた送風穴の断面図である。
【図４】スカートガードの下り線分上に開けられた送風穴の断面図である。
【発明を実施するための形態】
【０００９】
以下、本発明のマンコンベアの好適な実施の形態につき図面を用いて説明する。
図１は、この発明に係るマンコンベアの横断面図である。図２は、この発明に係るスカートガードと内側板の正面図である。図３は、スカートガードの上り線分上に開けられた送風穴の断面図である。図３（ａ）では、スカートガードの縦断面図である。図３（ｂ）は、スカートガードの横断面図である。図４は、スカートガードの下り線分上に開けられた送風穴の断面図である。図４（ａ）では、スカートガードの縦断面図である。図４（ｂ）は、スカートガードの横断面図である。
【００１０】
この発明に係るマンコンベア１は、図１に示すように、無端状に連結されて循環移動する複数の踏段３と、踏段３の両側の側面にそれぞれ近接し互いに対向するとともに送風穴５が開けられたスカートガード７と、スカートガード７の上方に設置されるとともに送風穴９が開けられた内側板１１と、送風穴５と送風穴９に空気を送る送風ホース１３と、を備える。
【００１１】
以下の説明においてスカートガード７や内側板１１に開けられる送風穴５、９の位置を説明するときに使用する線を定義する。この送風穴５、９は線上に所定の距離だけ離間して開けられている。踏板とライザの交わる点をスカートガード７に水平に投影した点が踏段３の移動にともなって描く軌跡を基準線２１と称す。そして、基準線２１上の所定の間隔だけ離間した点から基準線２１に対して垂直に伸びる線を垂線２３と称す。
また、垂線２３が基準線２１から内側板１１に向かう方向をプラス方向、内側板１１から基準線２１に向かう方向をマイナス方向と称す。
【００１２】
スカートガード７には、所定の間隔だけ離間した点をそれぞれ出発点とし、踏段３が移動する方向に徐々に基準線２１から離れ、隣接する点との距離の半分のところで逆に徐々に基準線２１に近づく山形の線上に送風穴５は多数開けられている。送風穴５は直径１ｍｍである。そして、踏段３の移動方向に進むに連れて基準線２１から離れていく線分を上り線分、基準線２１に近づいていく線分を下り線分と称すると、上り線分に開けられている送風穴５の中心軸はスカートガード７の厚み方向からマイナス方向にθＡ且つ踏段３の移動方向にθＢ傾いている。逆に、下り線分に開けられている送風穴５の中心軸はスカートガード７の厚み方向からプラス方向にθＣ且つ踏段３の移動と反対方向にθＤ傾いている。
【００１３】
内側板１１にも、基準線２１と平行な第２の基準線２５が設定されている。そして、第２の基準線２５に垂線２３を外挿して交わった点を設定している。内側板１１には、スカートガード７と同様に、山形の線上に送風穴９が開けられている。送風穴９は直径１ｍｍである。踏段３の移動方向に進むに連れて第２の基準線２５から離れていく線分を上り線分、第２の基準線２５に近づいていく線分を下り線分と称すると、上り線分に開けられている送風穴９の中心軸は内側板１１の厚み方向からマイナス方向に且つ踏段３の移動方向に傾き、下り線分に開けられている送風穴９の中心軸は内側板１１の厚み方向からプラス方向に且つ踏段３の移動と反対方向に傾いている。
なお、送風穴９は、脹ら脛の少し上までに風が当たるように設けられる。
【００１４】
なお、送風穴５、９の中心軸のマイナス方向またはプラス方向への傾きは、１５°以上７５°以下が好ましく、３０°以上４５°以下がより好ましい。
また、送風穴５、９の中心軸の踏段３の移動方向または反対方向への傾きは、５°以上６０°以下が好ましい。
【００１５】
送風ホース１３は、スカートガード７と内側板１１の踏段３の反対側に配設され、スカートガード７と内側板１１に開けられた送風穴５、９に対応する箇所に開口が設けられ、開口がスカートガード７と内側板１１に開けられた送風穴５、９を含んで送風穴５、９の周囲で密閉されている。送風ホース１３に空気を流すと開口を介して送風穴５、９から踏段３側に吹き出す。送風ホース１３には、マンコンベア１が動作しているときに空気を流し、送風穴５、９からは１０〜３０メートル／秒程度の風速の風を起こす。
【００１６】
このように山形の線上に送風穴５、９が開けられるとともに上り線分上には送風穴５、９の中心軸がマイナス方向且つ踏段３の移動方向に傾き、下り線分上には送風穴５、９の中心軸がプラス方向且つ踏段３の移動と反対方向に傾いているので、送風穴５、９から吹き出される風により内側板１１やスカートガード７の付近の気流の流れが一方向ではなく、衣服がビスに一旦引っ掛かったり、スカートガード７と踏段３との間に吸い込まれたりしても、簡単に外れる。
【００１７】
また、スカートガード７と内側板１１との間に配設された飾り金のビスに衣服が引っ掛かってもスカートガード７と内側板１１の両方の送風穴５、９から風が吹き出されるので、簡単に衣服をビスから自然に外れる。
【符号の説明】
【００１８】
１  マンコンベア、３  踏段、５  送風穴、７  スカートガード、９  送風穴、１１  内側板、１３  送風ホース、２１  基準線、２３  垂線、２５  第２の基準線。
【図１】
2011011858.tif 000003
【図２】
2011011858.tif 000004
【図３】
2011011858.tif 000005
【図４】
2011011858.tif 000006